(57)【要約】【課題】永久的に繰り返し貼着でき、一旦装着したら位置がずれ難く、優れたバストの外観を提供するべく貼着式バストアップシステムを提供する。【解決手段】バスト形状物１２の内表面上に、圧着粘着剤による一対の圧着タイプの貼着層３３を設けてバストに貼着させる個所を提供し、且つ該貼着層３３の該バスト形状物１２に対する粘着力が該貼着層３３のバストに対する貼着力よりも大きくなるよう設定し、装着の際に該バスト形状物１２をバストに貼着させ、連結部１４を該バスト形状物１２内側にて連結し、両該バスト形状物１２を接近させて使用者の左右バスト間を近づける。【選択図】　　　　図１
2004003102.tif 000002
【特許請求の範囲】
【請求項１】
一対のバスト形状物と連結部とより構成される貼着式バストアップシステムにおいて、
該バスト形状物使用者の皮膚に貼着させるべく、内表面に圧着タイプの貼着層を具有する一対のバスト形状物と、
両該バスト形状物を連結するべく、該バスト形状物の内側に定位されてる該連結部と、
より構成されることを特徴とする貼着式バストアップシステム。
【請求項２】
該連結部には第一部と第二部とを具有し、該第一部は該バスト形状物と連結されており、該第二部はもう一方のバスト形状物と連結され、且つ該第一部と第二部とは相互に掛合されるものであることを特徴とする請求項１記載の貼着式バストアップシステム。
【請求項３】
該第一部にはフックを含み、該第二部には該フックが掛けられる複数のアイを含むことを特徴とする請求項１或いは２記載の貼着式バストアップシステム。
【請求項４】
該第一部及び第二部は非固定式で着脱されるべく該バスト形状物と連結されていることを特徴とする請求項１或いは２記載の貼着式バストアップシステム。
【請求項５】
該第一部と第二部は面ファスナーによって貼着するものであることを特徴とする請求項１或いは２記載の貼着式バストアップシステム。
【請求項６】
該連結部は単一ユニットであり、該バスト形状物の内側面に連結されるものであることを特徴とする請求項１記載の貼着式バストアップシステム。
【請求項７】
該貼着層は永久的に該バスト形状物に貼着する圧着粘着剤とし、該バスト形状物内表面に対する粘着力は、使用者の皮膚との結合力より大きいものであることを特徴とする請求項１記載の貼着式バストアップシステム。
【請求項８】
該両バスト形状物或いは一方のバスト形状物には上部と下部を含み、該上部の厚さは該下部よりも厚いものであることを特徴とする請求項１記載の貼着式バストアップシステム。
【請求項９】
一対のバスト形状物と連結部とより構成される貼着式バストアップシステムにおいて、
内表面に沿った個所には、使用者の皮膚に貼着するべく、永久的に粘着している圧着粘着剤を具有する該バスト形状物と、
該バスト形状物の間に定位されるべく、該連結部には永久的に該バスト形状物と連結している第一部及び永久的にもう一方のバスト形状物と連結している第二部とを含み、該第一部と第二部とが相互に掛合されて両該バスト形状物を連結させる該連結部と、
より構成されることを特徴とする貼着式バストアップシステム。
【請求項１０】
該第一部にはフックを含み、該第二部には該フックが掛けられる複数のアイを含むことを特徴とする請求項９記載の貼着式バストアップシステム。
【請求項１１】
該第一部と第二部は面ファスナーによって貼着するものであることを特徴とする請求項９記載の貼着式バストアップシステム。
【請求項１２】
該大一部にはフックを含み、該第二部には該フックが掛けられるアイを含むことを特徴とする請求項９記載の貼着式バストアップシステム。
【請求項１３】
該層は該バスト形状物の圧着粘着剤に永久的に貼着し、該バスト形状物内表面に対する貼着力は、使用者の皮膚との結合力よりも大きいことを特徴とする請求項９記載の貼着式バストアップシステム。
【請求項１４】
該バスト形状物には一定量のシリコンが二枚の熱可塑性フィルム内に設けられているものを含み、且つ織物層で該二枚のフィルムと、或いは一枚のフィルムのみと結合して分解しないことを特徴とする請求項９記載の貼着式バストアップシステム。
【請求項１５】
該連結部の第一部及び第二部は該織物層と連結されて分解しないことを特徴とする請求項１４記載の貼着式バストアップシステム。
【請求項１６】
連結部によって着脱方式で連結される一対のバスト形状物を含み、
該各バスト形状物には内表面が区画されており、且つ該内側表面には該バスト形状物が使用者の皮膚上に貼着するべく、永久的に該バスト形状物に粘着している圧着タイプの貼着層を具有し、該バスト形状物には該連結部と連結する構造が設けられていることを特徴とする貼着式バストアップシステム。
【請求項１７】
該連結部の構造は、該連結部の一部のフックに対応していることを特徴とする請求項１６記載の貼着式バストアップシステム。
【請求項１８】
該フックは全体が該バスト形状物と結合するリングであり、該連結部は該リングを穿つ紐状のものであることを特徴とする請求項１８記載の貼着式バストアップシステム。
【請求項１９】
両該バスト形状物或いは一方のバスト形状物には上部と下部を含み、該上部の厚さは該架部の厚さよりも厚いことを特徴とする請求項９記載の貼着式バストアップシステム。
【請求項２０】
着用字は先ず、未だ相互に連結されてない一対のバスト形状物を使用者のバスト上に定位し、次に該バスト形状物内側表面の連結部によって連結を行うことで両該バスト形状物を連結させて一体とすることにより、
使用者の左右バスト間に谷間を形成することを特徴とする貼着式バストアップシステム。
【請求項２１】
該連結部を該バスト形状物に連結する際、使用者の左右バスト両者を上方に上げつつ接近させることにより、使用者のバストをアップさせることを特徴とする請求項２０記載の着式バストアップシステム。
【発明の詳細な説明】
【０００１】
【発明の属する技術分野】
本発明は貼着式バストアップシステムに係り、特に連結部で連結される一対のバスト形状物を含み、該バスト形状物は使用者の皮膚に繰り返し貼着するべく圧着タイプの貼着層によって構成されており、且つ該連結部の調整によって使用者の左右のバスト間に形成される谷間の深さとバストをアップさせる高さを調整することを特徴とする貼着式バストアップシステムに関わる。
【０００２】
【従来の技術】
女性は美を追求するため、バストのサイズや形状などに対して往々にして不満を感じており、バストを更に大きく、美しく見せたいという願望を抱いている。そのため従来の技術ではバストの位置をアップさせたり、サイズを大きく見せるなどために整形手術を受けて、胸部を大きくする方法があるが、整形手術は費用が高く、危険が伴い健康にも害がある他、永遠にその美しさを保つことは困難であることから、パッドなどを着用して大きく見せることが一般的となっている。このようにバストを美しく見せるための公知におけるパッドなどの装着具では、バストを大きく見せる他、外科手術で切除したバストをカバーする役割も果たしている。こういったパッドには、シリコンなどがプラスティックフィルムに充填されて封じられたものがあり、外観と装着感が自然で、使用者に外見に対する自信を与えるものとなっている。その他にも泡沫や水を充填したパッドなどがあるが、ただこれらのパッドにおいては装着感や外観においては不自然な感覚が免れられない。
また、衣類着用時において、女性は背部を露出したものを着用することがあるが、その際にはブラジャーのストラップや背の部分のバンドなどが邪魔になるため、バンドやストラップをなくしたカップがある。これは両面テープによってバストに貼り付けるもので、装着することによってバストのサイズをアップさせたり、形状を美しく見せることができるようになっている。
【０００３】
【発明が解決しようとする課題】
しかし上述のようなカップにおいても、以下のような欠点がある。
まず、その固定方式であるが、両面テープによる固定であり、一度使用したらそのテープはもう使用できないことである。また各サイズに分かれているが、バストをぴったりとカップ内に心地よく収めることは難しい。
そこで上述の欠点に鑑み、永久的に繰り返し貼着でき、一旦装着したら位置がずれ難く、優れたバストの外観を提供するべく本発明の貼着式バストアップシステムを提供する。
【０００４】
【課題を解決するための手段】
連結部と、該連結部によって連結される一対のバスト形状物とより構成し、該バスト形状物の内表面上に一対の圧着タイプの貼着層を設けることで使用者のバストに貼着させる個所を提供し、該圧着タイプの貼着層を該バスト形状物と永久的に貼着させる圧着粘着剤とし、且つ該貼着層の該バスト形状物に対する粘着力は、該貼着層のバストに対する貼着力よりも大きく設定し、装着の際は該バスト形状物をバストに貼着させ、固定タイプ或いは着脱可能なタイプである該連結部を該バスト形状物内側にて調整して連結し、両該バスト形状物を接近させて使用者の左右バスト間を近づける。
【０００５】
【発明実施の形態】
本発明の貼着式バストアップシステムは、主に一対の連結部１４を含むバスト形状物で構成されている。
図１のバストアップシステム１０正面図に示すように、該バストアップシステム１０にはバスト形状物１２を含み、該バスト形状物１２は連結部１４によって連結されている。各該バスト形状物１２にはそれぞれ圧着タイプの貼着層３３（図２）を具有し、各該バスト形状物１２が使用者の左右それぞれのバストに貼着し、且つ容易に取り外すことのできるようにしている。
また該バスト形状物１２は左右分離できるため、独立して片側のバストのみにも使用できる。つまり各該バスト形状物１２両者には同様の構造を具有するが、バストの一方にのみ該バスト形状物１２を使用することで、例えば左側のバストのみ、或いは右側のバストのみ、そのバストの高さを高める効果を提供するものとしてもよい。また、各該バスト形状物１２を連結部１４の一部として設計し、該連結部１４で両該バスト形状物１２を直接連結させるものとしてもよい。
【０００６】
使用の際は、本発明のバスとアップシステム１０の両バスト形状物１２の該貼着層３３を左右のバスト上に定位し、該連結部１４によって該バスト形状物１２を相互に連結させる。所望とするバストアップの程度やバストの形成する谷間に応じ、適当な位置にて該バスト形状物１２を使用者のバストに定位すると同時に、該連結部１４で左右バストの距離を調整する。該連結部１４の調整の程度が該バスト形状物１２の形成するバストの谷間やバストアップ効果に影響するため、該バストアップシステム１０が使用者に対し、理想とするバストを形作るには該バスト形状物１２を適切な位置に装着することが必要である。
【０００７】
該バストアップシステム１０は数種の異なるタイプのバスト形状物１２を含むが、基本的に本発明のバスト形状物１２とは使用者のバストの高さをアップさせるもの、或いはバスト自体に代わるものであり、熱可塑性フィルムによって一定量のシリコンが被覆されている物などがその代表となるが、もちろんこれに限られず、該バスト形状物１２は泡沫状の材質、プラスティック、ゴム、織物、或いは不織布などに液体や空気、又はゲル状物などが被覆されたものとして成型されるもの等、或いはバストの高さを高める泡沫状の物質、ゴム、織物、成型された不織物やプラスティックなどの固体等としてもよい。
【０００８】
図１に示すように、各該バスト形状物１２には、上部１６、該上部１６に相対する位置である底部１８、外側２０、該外側に相対する内側２２を具有する。また各該バスト形状物１２を区域分けすると、内側上部２４，内側中部２６，内側底部２８とに分けられる。
また図２に示すように、各該バスト形状物１２は内表面３０と外表面３２を具有し、該内表面３０は使用者のバスト側に位置し、該外表面３２はその反対である外側に位置する。該内表面３０には圧着タイプの貼着層３３を具有し、該バスト形状物１２を該使用者の皮膚に貼着させる効果を提供する。
【０００９】
該貼着層３３の材質においては、該貼着層３３を使用者のバストの適切な位置に貼設して理想とするバストの形状を作り出すべく、且つ使用者の肌に貼着しやすく、且つ剥がし易いものとするべく圧着粘着剤（ＰＳＡ）や両面テープなどを採用する。該ＰＳＡを設ける数量は、貼着層３３及び内表面３０に設ける数量を、必要に応じて増減させる（使用者のバストのサイズや形状及び重量などに応じて変化させる）ものとする。
該貼着層３３に繰り返し使用できる特性を具有するＰＳＡを採用することにより、永久的に該バスト形状物１２の内表面に貼着するものであり、且つ一旦バストに貼設したら、位置がずれ難く、使用回数を重ねても貼着性が劣らないといった利点が提供される。
また特記すべきことは該貼着層３３がバスト形状物１２に貼着する力は、それが使用者の皮膚に貼着する力よりも大きいこと、並びに該貼着層３３が激しい運動を受けた際も、使用者のバストからくる圧力で位置がずれないこと、汗や水などによっても貼着性が衰えることなく、また該貼着層３３が乾燥して埃や垢等の雑物が張り付いてしまっても、石鹸水などで洗浄すれば、元の貼着姓が回復するのである。
【００１０】
該連結部１４においては、該バスト形状物１２に適合したものであり、数種の異なるタイプを具有する。通常は二つ或いは多数によって構成され、その内の第一部４２がバスト形状物１２に直接連結されている個所であり（図５，６参照）、第二部４４がもう一方のバスト形状物１２に固定される個所となっている。また該連結部１４の該第一部４と第二部４４は、相互に掛合することで左右のバスト形状物１２が一体となる様態を呈している。該連結部１４のそれぞれの独立したパーツは、該バスト形状物１２上に固定されているもの、或いは着脱タイプのものとする。
【００１１】
図１中の該バストアップシステム１０に示すように、実施例中の該バスト形状物１２と連結部１４の連結状態においては、各バスト形状物１２に一定量のシリコン材質がポリエチレンなどの軟質の熱可塑性フィルム内に被覆されているものを採用している。該熱可塑性フィルムは独立したパッド状のものとし、該内表面３０と外表面３２が出会う個所である周縁に沿って加熱して熱シールされている。
また必要に応じ、該バスト形状物１２は熱可塑性フィルムである織物層４０と永久的に結合しているものとする（図３）。該織物層４０と熱可塑性フィルムとは、加熱圧着法、或いはその他の類似する方法により、永久的に緊密に結合しているものである。図３に示すように、該バスト形状物１２の断面図に見られるように、該バスト形状物１２は二枚の熱可塑性フィルムでパッド３４を構成しており、内部には一定量のシリコン材質３６が含まれている。該パッド３４には織物層４０を具有するものとしてもよい。該二枚のパッド３４は該バスト形状物１２の周縁に沿って、加熱されて結合点３８でシールされており、織物層４０が永久的に該内表面３０のパッド３４と分けられている。該貼着層３３は永久的に該織物層４０と貼着しているが、必要であれば該織物層４０は該外表面３２のパッド３４と結合しているものとする、或いは該二枚のパッド３４両者と結合しているものとする。該織物層４０においては、二つの方向或いは四つの方向に引っ張ることのできる、あるいは必要に応じたその他の条件にかなった適当な材料とし、こうすることで該バスト形状物１２が使用者のバストの形状に順応するようにする。
【００１２】
該バストアップシステム１０のもう一つの実施例として、片側或いは両側のバストが下垂している場合に対処したバスト形状物１２０がある。上述の該バスト形状物１２では、その下部付近に比較的厚みがあるが、該バスト形状物１２を使用者のバスト上にて定位するだけでは、バストの下垂に対して、さほど有効ではないことが言える。そのため、図４に示すような第二実施例ではバスト形状物１２０を提供するが、先ず上部１４０及び該上部に相対する個所である底部１６０を具有し、更にバストトップ中心１８０を具有し、該バストトップ中心１８０は該上部１４０と底部１６０の約中間点に位置する。該バスト形状物１２０は該中心１８０の部分が該上部２００及び下部２２０よりも突き出ている。また該上部２００の厚さは該下部２２０の厚さよりも厚く、このように設計することにより、図４の断面図に示すように、該上部２００の厚さが該下部２２０の厚さよりも顕著に厚くなっており、該バスト形状物１２０を使用することにより、平坦で下垂した使用者のバストのサイズを上げ、同時に重力によって自然に下垂してしまっていたバストを上向きに押し上げ、豊満で形の整ったバストを提供する。
【００１３】
該連結部１４は該バスト形状物１２の内表面３０か外表面３２の一方、或いはその両者と同時に連結しているもの、若しくは熱可塑性フィルムで構成されるパッド３４か織物層４０と連結しているもの、或いはその両者と同時に連結しているものとする。これは該バスト形状物１２の材料などに応じて決められるものであり、主に該連結部１４が連結する材料が、引っ張る力に耐え、該バスト形状物１２と引き離されないかどうかによって決定される。
図５，６に示すように、連結部１４を調整のできるものとして設計した場合を以下に記す。先ず図５に示すように、該連結部１４には第一部４２は一方のバスト形状物１２の内側２２に連結し、第二部４４はもう一つのバスト形状物１２の内側２２に連結する。該第一部４２と該第二部４４は相互に掛合することのできるよう設計されており、こうすることで両該バスト形状物１２が接続されて一体となる。該第一部４２及び第二部４４の該バスト形状物１２との連結においては、該第一部４２と第二部４４とが相互に向き合って掛合されるものとする。該第一部４２は図に示すように、フック４６などであり、該第二部４４の複数のアイ４８内に掛合されるものである。図５中では該第一部４２と第二部４４とが掛合される前の状態を示している。
これに対し図６に示すものは該第一部４２が該第二部４４に既に掛合された状態にあり、該フック４６が該第二部４４の三つのアイ４８中の一つ目に掛合されて該連結部１４が該両バスト形状物１２と連結されている状態を示している。該連結部１４が調節可能なことより、使用者が該フック４６を該アイ４８に掛けると、二つの該バスト形状物１２が互いに引き寄せられ、使用者の左右のバスト間の谷間が顕著になる。
図５，６に示すように、該連結部１４は永久的に該バスト形状物１２に固定されており、第一部４２と第二部４４は永久的に該二つのバスト形状物１２の内側に固定されているが、該第一部４２と第二部４４は着脱できるタイプのものとしてもよく、これは例えば該第一部４２と第二部４４をボタンなどの構造を利用し、該ボタンなどを該各バスト形状物１２の小さな穴に掛けることで該バスト形状物１２を連結させて一体としてもよい。該連結部１４は該バスト形状物１２より取りはずすことができ、こうすることで使用者はまだ連結されていない該バスト形状物１２を装着することもできる。
【００１４】
該バストアップシステム１０のもう一つの実施例として、図７に示すように、該バスト形状物１２はバストを美しく見せるのに適当な形状を呈しており、該連結部１４は単一のユニットであり、上述の複数の部からなるものとは異なる。該単一のユニットとは、図中に示すように、該連結部１４には本体５０を含み、同時に一対のフック５２が該本体の各端に固定されているもので、該本体５０の材質はプラスティックや金属、或いは織物などの適当な材質によるものである。該フック５２は一対の該バスト形状物１２内側２２に固定されているフック５４に掛けられる。ここでは該アイ５４は該バスト形状物１２の内側２２に永久的に固定されておりサイズ調整機能もないが、該バスト形状物１２と着脱できるように設計し、サイズ調整のできるものとしてもよい。実際に掛合させる際は、片側から一つずつ順に該フック５２を該アイ５４に滑り込ませるようにして掛合させ、こうすることで該両バスト形状物１２を一体化させる。
【００１５】
図８に示すように、該連結部１４のもう一つの実施例としては、上述同様該連結部１４は単一のユニットである。該連結部１４には硬質の本体５６を具有し、同時に一対のアーム部５８が該硬質の本体５８より突出しており、該アーム部５８は両該バスト形状物１２内側２２より突出するリング６０に掛合される。こうして該アーム部５８が該リング６０に掛合されると、両該バスト形状物１２が連結されて一体になる。
【００１６】
図７，８に示すように、連結部１４は永久的に固定されている、或いは着脱可能なものが該バスト形状物１２に連結されているものとする。
一対の該フック５２が該本体５０に連結されているものではなく、図７に示すように一つのフック５２が該本体５０の一端に連結されているものとし、該本体５０のもう一端はもう片側のバスト形状物１２に連結されているものとする。該バスト形状物１２には内側より延伸するアイ５４が設けられていることにより、該連結部１４が該バスト形状物１２に連結されるようにしている。
【００１７】
該バストアップシステム１０におけるもう一つの実施例を以下に記す。該連結部１４及びバスト形状物１２は図５に示すように、第一部４２と第二部４４を面ファスナー（登録商標：マジックテープ）などで相互に貼着させるものとし、同様に、図８に示すリング６０の形状を円形等としたり、金属製やプラスティック製のものに代える。更に該連結部１４を紐状のもの、或いはこれに類似するものなどに代え、該リング６０を該紐状の連結部１４が穿入し、該紐状の連結部１４を使用者が結ぶことによって、二つの該バスト形状物１２を連結させるものとする。
図９に示すように、その他の実施例として、連結部１４には装着帯６２及び挿設具６４を含むものとする。該装着帯６２には該挿設具６４を挿入する複数の孔が設けられており、該バスト形状物１２には上述同様にリング６０が設けられている。該装着帯６２上の一つの孔と該リング６０とを合わせ、該挿設具６４を該リング６０中と該装着帯６２の孔に挿入することで、二つの該バスト形状物１２を連結させる。両該バスト形状物１２の距離を接近させようとする際は、両者を接近させるべく、該挿設具６４を挿入する該装着帯６２上の孔を選択し、こうすることで使用者の左右バストによって形成されるバスト間の谷間を調整する。
【００１８】
該連結部１４は必要に応じ、永久的に固定されるものか、着脱式のものとし、該バスト形状物１２の該連結部１４と連結する位置においても同様である。該連結部１４と該バスト形状物１２の各部位は縫合、或いは加熱によるシーリング、或いは接着剤などによる貼着などの方法から、必要に応じて適切な方法を選択するものとする。状況に応じては該連結部１４を該バスト形状物１２と固定された一部分としてもよい。
また図１１および図７に示すように、該バストアップシステム１０にはさらにアイ５４を含むが、該アイ５４は該フック５６が掛けられる個所を提供しており、両該バスト形状物１２が連結されて一体となるべく設けたものである。該フック５４は両該バスト形状物１２上にそれぞれ設けられた連結シーリング部６６と結合して一体となっているものとし、且つ両該連結シーリング部６６は、該バスト形状物１２と連結しているものとする。該連結シーリング部６６においては、異なる形状とサイズのものを準備し、またその材質は不織布やフィルムなどの材質からなるものとする。では熱可塑性フィルムにより該シーリング部６６を構成する場合、加熱することによ該バスト形状物１２の内表面か外表面とシーリングすることにより封じる、或いは該連結シーリング部６６には一層の永久的に粘着する粘着剤を設けることにより、該バスト形状物１２に粘着させることで固定するものとする。よって該連結部１４と該バスト形状物１２との連結は、多数の方法から必要に応じて選択されるものとする。
【００１９】
【発明の効果】
本発明によると、従来のブラジャーと大きく異なり、ストラップやカップがない状態でバストアップ効果、及び左右バストの形成する谷間の程度が容易に調整できる目的が達成されるため、使用者はブラジャーを着用しなくとも、直接バスト形状物を所望の個所に貼着するだけで、取り外すまで位置がずれることなくバストをアップする効果を提供し続け、且つ衣服を着た際は外観を非常に美しく自然なバストのように見せることができるため、一般の使用者だけでなく、例えば手術で片側が切除してしまったバスト、或いは片側だけ著しく平坦であるバスト、または下垂してしまっているバストなどに対しても幅広く応用でき、大変実用的なバストアップシステムを提供することに成功した。
【図面の簡単な説明】
【図１】本発明の実施例における正面図であり、該システムにおける一対のバスト形状物が連結部によって接続されてる様子を示す図である。
【図２】図１におけるバスト形状物の側面図である。
【図３】本発明の実施例における側面断面図であり、該バスト形状物に熱可塑性フィルムによる織物層が固定されてる状態を示す図である。
【図４】本発明を下垂しているバストに対し、実施した様子を示す図である。
【図５】本発明の実施例における正面図であり、調節可能な連結部が連結されておらず、該バスト形状物が連結されていない状態を示す図である。
【図６】本発明の実施例における正面図であり、該連結部が連結されて、該バスト形状物が連結された状態を示す図である。
【図７】図１の実施例を示す正面図であり、単一ユニットからなる連結部を具有することを示す図である。
【図８】図７の実施例を示す正面図であり、図７と異なる単一ユニットからなる連結部を具有することを示す図である。
【図９】図１の実施例を示す正面図であり、調節可能な連結部を具有することを示す図である。
【図１０】図１の実施例を示す正面図であり、該連結部が一対のバスト形状物内側底部間に位置することを示す図である。
【図１１】図７の実施例を示す正面図であり、該連結部に連結シーリング部を含むことを示す図である。
【符号の説明】
１０　バストアップシステム
１２　バスト形状物
１２０　バスト形状物
１４　連結部
１４０　上部
１６　底部
１６０　上部
１８　底部
１８０　バストトップ中心
２０　外側
２００　上部
２２　内側
２２０　下部
２４　内側上部
２６　内側中部
２８　内側底部
３０　内表面
３２　外表面
３３　貼着層
３４　パッド
３６　シリコン材質
３８　結合点
４０　織物層
４２　第一部
４４　第二部
４６　フック
４８　アイ
５０　本体
５２　フック
５４　アイ
５６　硬質の本体
５８　硬質本体アーム部
６０　リング
６２　装着帯
６４　挿設具
６６　連結シーリング部
【図１】
2004003102.tif 000003
【図２】
2004003102.tif 000004
【図３】
2004003102.tif 000005
【図４】
2004003102.tif 000006
【図５】
2004003102.tif 000007
【図６】
2004003102.tif 000008
【図７】
2004003102.tif 000009
【図８】
2004003102.tif 000010
【図９】
2004003102.tif 000011
【図１０】
2004003102.tif 000012
【図１１】
2004003102.tif 000013